(57)【要約】【課題】ローターフレームと偏心錘との強固な固着を溶接以外で実現した扁平形振動モータを提供することにある。【解決手段】扁平型振動モータは、筒状部２２の開口がステータ構造体１０で塞がれて支軸１の一端を支持するカバーケース２０と、支軸１が貫通する滑り軸受Ｍを介して回転自在に支持されており、軸方向界磁型のローターマグネット５０及び偏心錘４０を持つローターフレーム３０とを備え、ローターフレーム３０は、滑り軸受Ｍを内嵌したバーリング部３２及び２個の鋲挿通孔ｈを持つ円板部３１を有し、偏心錘４０は、円板部３１の反ステータ構造体側に重なる被せ部４１と、この被せ部４１から鋲挿通孔ｈに嵌入して円板部３１のステータ構造体側で圧潰された鋲頭４２ａを持つ鋲部４２と、被せ部４１から円板部３１の外周縁でステータ構造体側へ垂下する庇状錘体部４３とを有する。【選択図】      図１
2011234532.tif 000002
【特許請求の範囲】
【請求項１】
筒状部の開口がステータ構造体で塞がれて支軸の一端を支持するカバーケースと、前記支軸が貫通する滑り軸受を介して回転自在に支持されており、軸方向界磁型のローターマグネット及び偏心錘を持つローターフレームとを備える扁平型振動モータであって、
前記ローターフレームは、前記滑り軸受を内嵌したバーリング部及び複数個の鋲挿通孔を持つ円板部を有し、前記偏心錘は、前記円板部の反ステータ構造体側に重なる被せ部と、この被せ部から前記鋲挿通孔に嵌入して前記円板部のステータ構造体側で圧潰された鋲頭を持つ鋲部と、前記被せ部から前記円板部の外周縁でステータ構造体側へ垂下する庇状錘体部とを有することを特徴とする扁平型振動モータ。
【請求項２】
請求項１に記載の扁平型振動モータにおいて、前記偏心錘は、前記被せ部から延在して前記滑り軸受の端面を当り止めする軸受押えを有することを特徴とする扁平形振動モータ。
【発明の詳細な説明】
【技術分野】
【０００１】
本発明は、携帯電話機等に内蔵される扁平形振動モータに関し、特に、そのローター構造に関する。
【背景技術】
【０００２】
従来、扁平形振動モータは、支軸の一端がバーリング部に圧入されたステンレス製円盤状のベース板と、開口部がベース板で塞がれて支軸の他端が軸装着孔に嵌入したステンレス製で有底円筒状のカバーケースと、支軸が貫通する滑り軸受を介して回転自在に支持されて軸方向界磁型のローターマグネット及び偏心錘を持つローターフレームと、ベース板上に重ねられて複数個の空芯コイルや電流制御用ＩＣなどの電子部品を搭載するフレキシブル印刷配線板とを備える。ローターフレームは、滑り軸受に嵌着したバーリング部と、円環状のローターマグネット及びこの外周側の扇状偏心錘を下側に持つ円板部とを有する。
【先行技術文献】
【特許文献】
【０００３】
【特許文献１】特開２００８−１８２８３７（図２，図３）
【発明の概要】
【発明が解決しようとする課題】
【０００４】
上記の扁平形振動モータにおいて、高比重合金の扇状偏心錘はローターフレームの円板部に何点かのスポット溶接で一体化されているため、経年変化で腐蝕を生じ易い。また、ローターフレームのバーリング部が嵌着する滑り軸受は外周面にカシメ用環状突起を持つため、特殊形状の滑り軸受を必要としてコスト高を招く。
【０００５】
そこで上記問題点に鑑み、本発明の第１の課題は、ローターフレームと偏心錘との強固な固着を溶接以外で実現した扁平形振動モータを提供することにある。本発明の第２の課題は、通常の円筒状の滑り軸受を用いることができる扁平形振動モータを提供することにある。
【課題を解決するための手段】
【０００６】
本発明は、筒状部の開口がステータ構造体で塞がれて支軸の一端を支持するカバーケースと、支軸が貫通する滑り軸受を介して回転自在に支持されており、軸方向界磁型のローターマグネット及び偏心錘を持つローターフレームとを備える扁平型振動モータであって、ローターフレームは、滑り軸受を内嵌したバーリング部及び複数個の鋲挿通孔を持つ円板部を有し、偏心錘は、円板部の反ステータ構造体側に重なる被せ部と、この被せ部から鋲挿通孔に嵌入して円板部のステータ構造体側で圧潰された鋲頭を持つ鋲部と、被せ部から円板部の外周縁でステータ構造体側へ垂下する庇状錘体部とを有することを特徴とする。
【０００７】
このようなローター構造においては、偏心錘がローターフレームの円板部に鋲着されているため、溶接を用いなくても固着強度を十分確保できる。
【０００８】
そして、偏心錘の被せ部が円板部の反ステータ構造体側に重なるため、偏心錘は、被せ部から延在して滑り軸受の端面を当り止めする軸受押えを有する構成を採用できる。
【０００９】
ローターフレームが軸方向に上下動しても、バーリング部に内嵌した滑り軸受を軸受押えで抜け止めしているため、滑り軸受として通常の円筒状の滑り軸受を用いることができ、低コスト化を実現できる。
【発明の効果】
【００１０】
本発明によれば、ローターフレームと偏心錘との強固な固着を溶接以外で実現した扁平形振動モータを提供できる。
【図面の簡単な説明】
【００１１】
【図１】本発明の一実施例に係る扁平形振動モータの外観を示す縦断面図である。
【図２】（Ａ）は同扁平形振動モータおいてローターフレームと偏心錘との組立体を示す断面図、（Ｂ）はその（Ａ）中のｂ部拡大断面図である。
【図３】同ローターフレームと同偏心錘との組立斜視図である。
【図４】（Ａ）は同組立体の平面図、（Ｂ）はその断面図、（Ｃ）は（Ｂ）中のｃ部拡大断面図、（Ｄ）はその底面図である。
【図５】（Ａ）は同偏心錘の平面図、（Ｂ）はその正面図、（Ｃ）はその断面図、（Ｄ）はその底面図である。
【発明を実施するための形態】
【００１２】
次に、本発明の実施形態を添付図面に基づいて説明する。本例の扁平形（コイン形）振動モータはブラシレスモータで、図１に示す如く、支軸（固定軸）１の一端を軸孔１０ａに圧入固定したステータ構造体１０と、その支軸１の他端が嵌入するバーリング部２１ａを持つ平底面部２１を有する有底扁平筒状のステンレス製カバーケース２０と、支軸１が貫通する通常の円筒状の滑り軸受（ラジアル軸受）Ｍを介して回転自在に支持されており、軸方向界磁型の円環状ローターマグネット５０及び円弧状の偏心錘４０を持つローターフレーム３０とを備えている。カバーケース２０の筒状部２２の開口はステータ構造体１０で塞がれている。
【００１３】
本例のステータ構造体１０は、中心に対して３つのディテントトルク発生用扇状孔Ｈを持つスチール製の略円盤状の磁性金属板（ベース板）１２と、この磁性金属板１２に重ね合わされたフレキシブル印刷配線板１４とを有し、フレキシブル印刷配線板１４上には、複数個の空芯コイルＣ、これらの空芯コイルＣに切り替え給電するための電流制御用ＩＣ１４ａ、及びコンデンサ１４ｂなどの電子部品が搭載されている。また、フレキシブル印刷配線板１４上には支軸１が貫通した樹脂ワッシャー１４ｃが搭載され、樹脂ワッシャー１４ｃの面上で滑り軸受Ｍの下端面を受けるようになっている。
【００１４】
本例のローターフレーム（ローターヨーク）３０はプレス成形品で、図３及び図４に示す如く、円板部３１の中央から立ち下がり滑り軸受Ｍを内嵌したバーリング部３２と、円板部３１で中心から等距離の隣接箇所に開けた２個の鋲挿通孔ｈと、円板部３１のうち２個の鋲挿通孔ｈに対して反対側の半円周縁から立ち下がる周壁部３３とを一体的に有する。
【００１５】
一方、偏心錘４０は、図３及び図５に示す如く、円板部３１の反ステータ構造体側に重なる被せ部４１と、この被せ部４１から各鋲挿通孔ｈに嵌入して円板部３１のステータ構造体側で圧潰された鋲頭４２ａを持つ鋲部４２と、被せ部４１から円板部３１の外周縁でステータ構造体側へ垂下する庇状錘体部４３と、被せ部４１から延在して滑り軸受Ｍの端面を当り止めする肉薄の軸受押え４４とを一体的に有する。
【００１６】
このようなローター構造においては、偏心錘４０がローターフレーム３０の円板部３１に鋲着されているため、溶接を用いなくても固着強度を十分確保できる。
【００１７】
そして、偏心錘４０の被せ部４１が円板部３１の反ステータ構造体側に重なるため、偏心錘４０は、被せ部４１から延在して滑り軸受Ｍの端面を当り止めする軸受押え４４を有する構成を採用できる。
【００１８】
ローターフレーム３０が軸方向に上下動しても、バーリング部３２に内嵌した滑り軸受Ｍを軸受押え４４で抜け止めしているため、滑り軸受Ｍとして通常の円筒状の滑り軸受を用いることができ、低コスト化を実現できる。
【符号の説明】
【００１９】
１…支軸
１０…ステータ構造体
１０ａ…軸孔
１２…磁性金属板
１４…フレキシブル印刷配線板
１４ａ…電流制御用ＩＣ
１４ｂ…コンデンサ
１４ｃ…樹脂ワッシャー
２０…ステンレス製カバーケース
２１ａ，３２…バーリング部
２１…平底面部
２２…筒状部
３０…ローターフレーム
３１…円板部
３３…周壁部
４０…偏心錘
４１…被せ部
４２…鋲部
４２ａ…鋲頭
４３…庇状錘体部
４４…軸受押え
５０…円環状ローターマグネット
Ｃ…空芯コイル
Ｈ…ディテントトルク発生用扇状孔
ｈ…鋲挿通孔
Ｋ…円形凹所
Ｍ…滑り軸受
【図１】
2011234532.tif 000003
【図２】
2011234532.tif 000004
【図３】
2011234532.tif 000005
【図４】
2011234532.tif 000006
【図５】
2011234532.tif 000007